(57)【要約】      （修正有）【課題】実際に洗濯物を選択可能な洗濯機玩具を提供する。【解決手段】水の通過孔５２ａが形成された回転ドラム５２と、所定の隙間を持って回転ドラム５２が当該回転ドラム５２の中心線に致心する回転軸５３により回転可能に収容される固定ドラム５１と、有するドラムユニット５０と、回転軸５３を介して回転ドラム５２を回転駆動するためのモータＭが設けられた機台と、を備える。ドラムユニット５０は機台に対して着脱可能に構成されていることを特徴とする。【選択図】図２
0003198167.tif 000002
【実用新案登録請求の範囲】
【請求項１】
水の通過孔が形成された回転ドラムと、所定の隙間を持って前記回転ドラムが当該回転ドラムの中心線に致心する回転軸により回転可能に収容される固定ドラムと、有するドラムユニットと、
前記回転軸を介して前記回転ドラムを回転駆動するためのモータが設けられた機台と、
を備え、
前記ドラムユニットは前記機台に対して着脱可能に構成されていることを特徴とする洗濯機玩具。
【請求項２】
前記ドラムユニットには、前記回転ドラム及び前記固定ドラムの開口を開閉するドラム蓋と、前記ドラム蓋を閉じた状態でロックするとともに、前記ドラムユニットに設けた第１の操作子の操作によってロック解除するように構成されたドラム蓋ロック手段と、が設けられていることを特徴とする請求項１に記載の洗濯機玩具。
【請求項３】
前記ドラム蓋には前記回転ドラムの内部を見通せる透光部が形成されていることを特徴とする請求項２に記載の洗濯機玩具。
【請求項４】
前記機台には前記モータの回転を制御する制御部が設けられ、前記制御部によって、前記モータの回転方向を制御し、前記回転ドラムが所定の角度範囲で往復回転する第１の動作モードと、前記回転ドラムが一の方向に回転する第２の動作モードとを選択的に行うように構成されていることを特徴とする請求項１から請求項３のいずれか一項に記載の洗濯機玩具。
【請求項５】
前記機台には、前記第１の動作モードと前記第２の動作モードとを切り替える第２の操作子が設けられていることを特徴とする請求項４に記載の洗濯機玩具。
【請求項６】
前記機台には、前記ドラムユニットを前記機台に対してロックするとともに、前記機台に設けた第３の操作子によってロック解除するように構成されたドラムユニットロック手段が設けられていることを特徴とする請求項１から請求項５のいずれか一項に記載の洗濯機玩具。
【請求項７】
前記ドラムユニットは、前記回転ドラムの開口が前方斜め上向きとなるように、前記機台に装着されることを特徴とする請求項１から請求項６のいずれか一項に記載の洗濯機玩具
【考案の詳細な説明】
【技術分野】
【０００１】
本考案は洗濯機玩具に関するものである。
【背景技術】
【０００２】
従来、機台の前面にドラム蓋を備えたドラム型一槽式洗濯機を模した形状であり、モータにより機台内部のドラムと、ドラム蓋に内挿された透明な窓部を回転させる構造とし、当該窓部には、液体を封入した密閉部を有し、複数の操作ボタンによりモータを回転させるように構成された洗濯機玩具が知られている（例えば、特許文献１参照）。
【０００３】
この洗濯機玩具によれば、モータにより機台内部のドラムが回転すると、窓部に形成した密閉部も回転し、これにより窓部内の水が攪拌棒により攪拌される。その結果、視覚的に、実際に注水して選択しているかのイメージを醸し出すことが可能である。
【先行技術文献】
【特許文献】
【０００４】
【特許文献１】特開２００６−０００１２４号公報
【考案の概要】
【考案が解決しようとする課題】
【０００５】
しかしながら、この洗濯機玩具によれば、水がドラムに注水されないので、洗濯物を実際には洗濯できず、物足りないものとなっていた。
この点、実際にドラムに水を入れ、洗濯をすることも考えられる。この場合、洗濯機玩具に実物の洗濯機と同様に排水ホースを設けることが考えられるが、排水ホースの取扱いが面倒であり、しかも、使用後に排水ホースに水が残る等して衛生上の問題が生じる虞がある。
【０００６】
本考案は、実際に洗濯物を洗濯可能で且つ衛生的にも優れた洗濯機玩具を提供することを目的とする。
【課題を解決するための手段】
【０００７】
請求項１に記載の洗濯機玩具は、
水の通過孔が形成された回転ドラムと、所定の隙間を持って前記回転ドラムが当該回転ドラムの中心線に致心する回転軸により回転可能に収容される固定ドラムと、有するドラムユニットと、
前記回転軸を介して前記回転ドラムを回転駆動するためのモータが設けられた機台と、
を備え、
前記ドラムユニットは前記機台に対して着脱可能に構成されていることを特徴とする。
【０００８】
請求項２に記載の洗濯機玩具は、請求項１に記載の洗濯機玩具であって、前記ドラムユニットには、前記回転ドラム及び前記固定ドラムの開口を開閉するドラム蓋と、前記ドラム蓋を閉じた状態でロックするとともに、前記ドラムユニットに設けた第１の操作子の操作によってロック解除するように構成されたドラム蓋ロック手段と、が設けられていることを特徴とする。
【０００９】
請求項３に記載の洗濯機玩具は、請求項２に記載の洗濯機玩具であって、前記ドラム蓋には前記回転ドラムの内部を見通せる透光部が形成されていることを特徴とする。
【００１０】
請求項４に記載の洗濯機玩具は、請求項１から請求項３のいずれか一項に記載の洗濯機玩具であって、前記機台には前記モータの回転を制御する制御部が設けられ、前記制御部によって、前記モータの回転方向を制御し、前記回転ドラムが所定の角度範囲で往復回転する第１の動作モードと、前記回転ドラムが一の方向に回転する第２の動作モードと、を選択的に行うように構成されていることを特徴とする。
【００１１】
請求項５に記載の洗濯機玩具は、請求項４に記載の洗濯機玩具であって、前記機台には、前記第１の動作モードと前記第２の動作モードとを切り替える第２の操作子が設けられていることを特徴とする。
【００１２】
請求項６に記載の洗濯機玩具は、請求項１から請求項５のいずれか一項に記載の洗濯機玩具であって、前記機台には、前記ドラムユニットを前記機台に対してロックするとともに、前記機台に設けた第３の操作子によってロック解除するように構成されたドラムユニットロック手段が設けられていることを特徴とする。
【００１３】
請求項７に記載の洗濯機玩具は、請求項１から請求項６のいずれか一項に記載の洗濯機玩具であって、前記ドラムユニットは、前記回転ドラムの開口が前方斜め上向きとなるように、前記機台に装着されることを特徴とする。
【考案の効果】
【００１４】
請求項１に記載の洗濯機玩具によれば、ドラムユニットが機台に対して着脱可能に構成されているので、実際の洗濯後に水捨てが容易且つ確実に行えることとなる。
【００１５】
請求項２に記載の洗濯機玩具によれば、ドラム蓋を閉じた状態でロックすることができるので、水が入ったドラムユニットを機台から離脱した場合の取扱いが容易となる。
【００１６】
請求項３に記載の洗濯機玩具によれば、透光部を介して回転ドラムの内部を見通せるので、洗濯の様子を目でも楽しめることになる。
【００１７】
請求項４に記載の洗濯機玩具によれば、回転ドラムが所定の角度範囲で往復回転する第１の動作モードと、回転ドラムが一の方向に回転する第２の動作モードとを選択的に行うので、第１の動作モードと第２の動作モードとで洗濯の態様を変えたり、第１の動作モードを洗濯に使用し、第２の動作モードを脱水に使用したりすることができる。
【００１８】
請求項５に記載の洗濯機玩具によれば、第２の操作子により第１の動作モードと第２の動作モードとを簡単に切り替えることができる。
【００１９】
請求項６に記載の洗濯機玩具によれば、ドラムユニットを機台に対してロックすることができるので、確実に洗濯等を行うことができる。
【００２０】
請求項７に記載の洗濯機玩具によれば、機台の前面にドラム蓋を備えたドラム型一槽式洗濯機に近い形となるので、興趣性の高いものとなる。
【図面の簡単な説明】
【００２１】
【図１】本考案に係る洗濯機玩具の外観を示した斜視図である。
【図２】本考案に係る洗濯機玩具のドラムユニット及びその周辺の断面図である。
【図３】本考案に係る洗濯機玩具のドラムユニットを示し、（Ａ）はドラム蓋を開いた状態を示す斜視図、（Ｂ）は取っ手を起立させバケツとして利用する状態を示す斜視図である。
【図４】本考案に係る洗濯機玩具のドラム蓋のロック構造を示した図である。
【図５】本考案に係る洗濯機玩具の機台を示した模式的な断面図である。
【図６】本考案に係る洗濯機玩具のドラムユニットのロック構造を示した図である。
【図７】本考案に係る洗濯機玩具の物干しを付設した状態を示した斜視図である。
【図８】本考案に係る洗濯機玩具の機能構成を示したブロック図である。
【図９】洗濯のプロセスを示した図である。
【図１０】脱水のプロセスを示した図である。
【考案を実施するための形態】
【００２２】
以下、本考案に係る洗濯機玩具を図面に示した実施の形態に基づいて説明する。
【００２３】
（全体構成）
図１に示すように、実施形態に係る洗濯機玩具１は、機台１０と、機台１０に対して着脱可能なドラムユニット５０とを備える。この洗濯機玩具１は、前面にドラム蓋を有し洗濯から乾燥までを行えるドラム型洗濯機を模して形成されている。ここで、機台１０には、スライド式のモード切替スイッチ１１、スタートボタン１２、ドラム離脱ボタン１３及び表示部１４が設けられている。
そして、この洗濯機玩具１によれば、実際に、ドラムユニット５０内に水を入れて洗濯物を洗濯したり、脱水したりすることができる。
【００２４】
（細部構成）
１．ドラムユニット５０について
図２に示すように、ドラムユニット５０は固定ドラム５１と回転ドラム５２とを備える。この固定ドラム５１及び回転ドラム５２はプラスチック又は軽量な金属によって形成されている。
このうち固定ドラム５１は有底円筒状に形成されている。一方、回転ドラム５２も有底円筒状に形成されている。ただし、この回転ドラム５２は固定ドラム５１よりも一回り小さく形成され、固定ドラム５１内に当該固定ドラム５１との間に所定の隙間を持って収容されている。
また、回転ドラム５２の周壁には通水孔５２ａが多数形成されている。この通水孔５２ａの形状は例えば円形となっている。なお、この通水孔５２ａの形状は円形に限定されず、楕円形、星形その他の形状であってもよい。
また、回転ドラム５２の底部には固定ドラム５１を貫通する回転軸５３が付設されている。貫通部分には水漏れを防止するためのパッキン（図示せず）が設けられている。そして、この回転軸５３には回転体５４が付設されている。この回転体５４の一の端面（下側端面）には円周方向に沿って歯部５４ａが形成されている。
【００２５】
図３（Ａ）に示すように、ドラムユニット５０の前端には、固定ドラム５１から張り出し洗濯機玩具１の前面の一部を構成するパネル５５が設けられている。このパネル５５には、ドラム蓋５８の開放ボタン５６が設けられている。このパネル５５にはヒンジＨを介して円板状のドラム蓋５８が開閉可能に取り付けられている。このドラム蓋５８はリング状の枠体５８ａと当該枠体５８ａ内に設けられた透光部５８ｂとを備えている。透光部５８ｂは例えば透明プラスチックで形成されている。そして、外部からこの透光部５８ｂを通して回転ドラム５２の内部を見通すことができる。さらに、図３（Ａ）及び図４に示すように、ドラム蓋５８の自由端側の内面には爪５９が設けられている。この爪５９は後述するロック機構７０によってロック可能に構成されている。また、このパネル５５には軸６０ａを介してアーチ状の取っ手６０が設けられている。この取っ手６０は、図３（Ｂ）に示すように、ドラムユニット５０の本体に対して起倒可能に構成されている。そして、取っ手６０をドラムユニット５０の本体に対して起立させることで、ドラムユニット５０をバケツとして使用することが可能となっている。なお、図３（Ｂ）に示すように、実施形態の洗濯機玩具１では、取っ手６０を起立させた際にドラム蓋５８が閉まらない構造となっているが、取っ手６０を設ける位置やドラム蓋５８のヒンジＨの位置等を変更することで、ドラム蓋５８を閉めても取っ手６０が起立できる構造としてもよい。
【００２６】
次に、図４に基づいて、ドラム蓋５８のロック構造（ドラム蓋ロック手段）７０について説明する。ドラムユニット５０のパネル５５には上記爪５９に係合可能な係止部材６１が設置されている。この係止部材６１は、固定ドラム５１の半径方向に動作可能に構成されるとともに、スプリング６２によって固定ドラム５１に接近する方向に付勢されている。また、係止部材６１にはピン６１ａが付設され、このピン６１ａは上記開放ボタン５６の軸５６ａに付設したカム板５７に係合している。具体的には、カム板５７には係止部材６１の動作方向に対して傾斜するスリット５７ａが形成され、このスリット５７ａに上記ピン６１ａが挿入されている。
そして、開放ボタン５６が押されないときには、係止部材６１がスプリング６２の付勢力で固定ドラム５１に接近した状態にあり、この状態でドラム蓋５８を閉めると、係止部材６１が一旦爪５９に押され、スプリング６２の付勢力に抗して固定ドラム５１から離間する方向に動作する。そして、爪５９が係止部材６１と対向する位置を超えると、係止部材６１がスプリング６２の付勢力で固定ドラム５１に接近する方向に動作し、爪５９と係合する。この状態がドラム蓋５８のロック状態である（図４参照）。
一方、ロック状態から、開放ボタン５６が押されたときには、係止部材６１のピン６１ａはスリット５７ａを倣うので、係止部材６１がスプリング６２の付勢力に抗して固定ドラム５１から離間する方向に動作する。この状態がロック解除状態であり、ドラム蓋５８を開くことができる。この場合には、手でドラム蓋５８を開くことが必要となるが、ドラム蓋５８のヒンジＨの軸にトーションスプリング（図示せず）を設けておくことで、ロック解除状態となったとき、トーションスプリングの作用によって、自動的にドラム蓋５８を開くこともできる。なお、このトーションスプリングを設けない場合には、手で開きやすいように、ドラム蓋５８に取っ手を設けておくことが好ましい。
【００２７】
２．機台１０について
図５に示すように、機台１０は、図示しない乾電池１００と、この乾電池を電源とするモータＭと、モータＭの作動等を制御する制御部１０１（図８参照）搭載の基板１０２とを備えている。乾電池１００としては例えば単２の電池が４本使用される。ただし、家庭用電源を利用するようにしてもよい。
【００２８】
機台１０には、ドラムユニット５０を収容する第１収容部１０ａと、モータＭ、基板１０２及び乾電池１００を収容する第２収容部１０ｂが設けられている。第１収容部１０ａと第２収容部１０ｂとは壁１０ｃによって区切られている。
図２に示すように、第２収容部１０ｂに設置されるモータＭの回転軸１５は上記壁１０ｃを貫通し、第１収容部１０ａに延出している。この回転軸１５の延出部分には回転体１６が固定して設けられている。この回転体１６の端面（上側端面）には円周方向に沿って歯部１６ａが形成され、この歯部１６ａは上記回転体５４の歯部５４ａに噛合可能で、噛合状態では、回転体１６，５４は一体回転するように構成されている。なお、壁１０ｃと回転軸１５との間には水漏れを防止するためのパッキンが設けられることが好ましい。
【００２９】
また、図６に示すように、機台１０の第１収容部１０ａには、ドラムユニット５０のロック構造（ドラムユニットロック手段）８０が設けられている。
すなわち、機台１０のフランジ５１ａに係合可能な係止部材２０が設置されている。この係止部材２０は、固定ドラム５１の半径方向に動作可能に構成されるとともに、スプリング２１によって固定ドラム５１に接近する方向に付勢されている。また、係止部材２０にはピン２０ａが付設され、このピン２０ａは上記ドラム離脱ボタン１３の軸１３ａに付設したカム板２３に係合している。具体的には、カム板２３には係止部材２０の動作方向に対して傾斜するスリット２３ａが形成され、このスリット２３ａに上記ピン２０ａが挿入されている。
そして、ドラム離脱ボタン１３が押されないときには、係止部材２０がスプリング２１の付勢力で固定ドラム５１に接近した状態にあり、この状態でドラムユニット５０を挿入すると、係止部材２０がフランジ５１ａに押され、スプリング２１の付勢力に抗して固定ドラム５１から離間する方向に動作する。そして、フランジ５１ａが係止部材２０と対向する位置を超えると、係止部材２０がスプリング２１の付勢力で固定ドラム５１に接近する方向に動作し、フランジ５１ａと係合する。この状態がドラムユニット５０のロック状態である（図６参照）。
一方、ロック状態から、ドラム離脱ボタン１３を押すと、係止部材２０のピン２０ａはスリット２３ａを倣うので、係止部材２０がスプリング２１の付勢力に抗して固定ドラム５１から離間する方向に動作する。この状態がロック解除状態であり、ドラムユニット５０を離脱することができる。この場合には、手でドラムユニット５０を離脱することが必要となるが、機台１０に例えばスプリング２４を設けておくことで、ロック解除状態となったとき、このスプリング２４の作用によって、ドラムユニット５０を押し上げることができるので、手での離脱が容易となる。
【００３０】
また，図１に示すように、機台１０の上面には左右一対の差込穴３０が形成されている。そして、図７に示すように、この各差込穴３０には物干し４０の支柱４１が差込み可能となっていて、この物干し４０を利用して、洗濯物を洗濯ばさみ４２で挟んで干すことが可能となっている。
【００３１】
（制御構成）
続いて、洗濯機玩具１の制御構成について説明する。
図８は、洗濯機玩具１の制御構成を示すブロック図である。この洗濯機玩具１は、音出力部１０３と、表示部１４と、記憶部１０４と、制御部１０１とを備える。
【００３２】
音出力部１０３は、制御部１０１から入力される音出力信号をもとに各種音を出力する。この音出力部１０３は増幅部やスピーカを含んで構成されている。
【００３３】
表示部１４は、ＬＣＤやＥＬディスプレイ等の表示システムによって実現されるものであり、制御部１０１から入力される表示信号をもとに各種画面を表示する。各種画面としては、洗濯中や脱水中を示す画面や、洗濯残り時間や脱水残り時間を示す画面が挙げられる。
【００３４】
記憶部１０４は、更新記録可能なフラッシュメモリ等のＲＯＭやＲＡＭといった各種ＩＣメモリ、ハードディスク、メモリカード等の情報記録媒体およびその読取装置等によって実現されるものである。この記憶部１０４には、洗濯機玩具１を動作させ、この洗濯機玩具１が備える種々の機能を実現するためのプログラムや、このプログラムの実行中に使用されるデータ等が予め格納されて適宜更新され、あるいは処理の都度一時的に格納される。
【００３５】
その例を挙げれば、記憶部１０４には、表示部１４に所定の表示をさせるための表示プログラムが格納される。
また、記憶部１０４には、音出力制御プログラムが格納されている。音出力制御プログラムとしては、洗濯音や脱水音を出力したり、洗濯や脱水の終了を報知したりするためのプログラムが格納されている。
さらに、記憶部１０４には、モータＭの回転制御プログラムが格納されている。回転制御プログラムとしては、モータＭを所定角度範囲で往復回転させる第１の動作モードと、モータＭを一方向に回転させる第２の動作モードとを実行させるプログラムが格納されている。
【００３６】
制御部１０１は、例えば、記憶部１０４に格納された表示プログラム、音出力制御プログラム又は回転制御プログラムと協働して表示制御部、音出力制御部及び回転制御部として機能する。そして、制御部１０１は、モード切替スイッチ１１及びスタートボタン１２の操作に基づいて、音出力部１０３と、表示部１４と、モータＭとを制御する。具体的には、モード切替スイッチ１１が第１の動作モード（洗濯モード）に操作され且つスタートボタン１２が押されると、制御部１０１は、所定時間モータを往復回転させ続けるとともに、表示部１４に洗濯中である旨の表示をさせ、音出力部１０３から洗濯音を出力させる。一方、モード切替スイッチ１１が第２の動作モード（脱水モード）に操作され且つスタートボタン１２が押されると、制御部１０１は、所定時間モータを一方向に回転させ続けるとともに、表示部１４に脱水中である旨の表示をさせ、音出力部１０３から脱水音を出力させる。そして、洗濯及び脱水が終了すると、制御部１０１は洗濯及び脱水が終了したことを表示部１４及び音出力部１０３で報知する。
なお、第２の動作モード（脱水モード）では、第１の動作モード（洗濯モード）のときよりも高速でモータＭひいては回転ドラム５２を回転させることが好ましい。また、第１の動作モード（洗濯モード）では、モータＭひいては回転ドラム５２を一方向に所定角度回転させた後、一旦停止させ、その後に反対方向に所定角度回転させることが好ましい。
【００３７】
（使用方法）
この洗濯機玩具１の使用方法を図９及び図１０に沿って説明する。
１．選択方法
図９（Ａ）に示した状態から、開放ボタン５６を押してドラム蓋５８を開けて洗濯物を入れるとともに、水をドラムユニット５０に入れる（図９（Ｂ））。次いで、ドラム蓋５８を閉め、モード切替スイッチ１１を第１の動作モード（洗濯モード）にするとともにスタートボタン１２を押して回転ドラム５２を一方向に回転させて洗濯を行う（図９（Ｃ））。
【００３８】
２．脱水方法
洗濯が終了したら、図１０（Ａ）に示すように、ドラム離脱ボタン１３を押してドラムユニット５０を機台１０から離脱させる。次いで、開放ボタン５６を押してドラム蓋５８を開けてドラムユニット５０内の水を流し場に捨てる（図１０（Ｂ））。次いで、ドラムユニット５０を再び機台１０にセットし、モード切替スイッチ１１を第２の動作モード（脱水モード）にするとともにスタートボタン１２を押して回転ドラム５２を往復回転させて脱水を行う（図１０（Ｃ））。図１０（Ｄ）は脱水が完了した状態を示している。その後、ドラムユニット５０内の洗濯物を取り出し、物干し４０を使用して干す。また、ドラムユニット５０を機台１０から離脱させ、水を捨てる。
【００３９】
（変形例）
以上、本考案の実施形態について説明したが、本考案は、かかる実施形態に限定されるものではなく、その要旨を逸脱しない範囲で変形可能であることは言うまでもない。
【符号の説明】
【００４０】
１     洗濯機玩具
１０   機台
１１   モード切替スイッチ
１２   スタートボタン
５０   ドラムユニット
５１   固定ドラム
５２   回転ドラム
８０   ロック構造
１００ 乾電池
１０１ 制御部
１０３ 音出力部
Ｍ     モータ
【図１】
0003198167.tif 000003
【図２】
0003198167.tif 000004
【図３】
0003198167.tif 000005
【図４】
0003198167.tif 000006
【図５】
0003198167.tif 000007
【図６】
0003198167.tif 000008
【図７】
0003198167.tif 000009
【図８】
0003198167.tif 000010
【図９】
0003198167.tif 000011
【図１０】
0003198167.tif 000012